(57)【要約】【課題】  暖房使用時には蓋を収納することができ、暖房非使用時には安全にテーブルとして利用できる電気火鉢を提案する。【解決手段】  本体１０上部の天板２の開口部２２にヒータユニット３を備えた電気火鉢１に、前記開口部２２を塞ぐ蓋板７と、前記蓋板７を収納する収納部７１とを備え、  前記本体１０に、前記蓋板７が前記収納部７１に収納された場合に、前記ヒータユニット３を稼動可能に切替える切替スイッチ９を備えた。【選択図】    図３
2006057976.tif 000002
【特許請求の範囲】
【請求項１】
本体上部の天板の開口部にヒータユニットを備えた電気火鉢であって、
前記開口部を塞ぐ蓋と、
前記蓋を収納する収納部とを備えた
電気火鉢。
【請求項２】
前記本体に、引出し前板を有する引出しを備え、
前記収納部を、前記引出し前板の後方の前記本体内部に備えた
請求項１に記載の電気火鉢。
【請求項３】
前記本体部に、前記蓋が前記収納部に収納された場合に、前記ヒータユニットを稼動可能に切替える切替手段を備えた
請求項１または２に記載の電気火鉢。
【請求項４】
前記本体部に、前記蓋で前記開口部が塞がれている場合に、前記ヒータユニットを稼動不可能に切替える切替手段を備えた
請求項１または２に記載の電気火鉢。
【発明の詳細な説明】
【技術分野】
【０００１】
この発明は、例えば電気式のヒータを熱源とするような電気火鉢に関する。
【背景技術】
【０００２】
現在、様々な熱源の暖房器具が流通しているが、日本古来からの暖房器具である火鉢と比較すると、いずれの暖房器具も機能的であるが、情緒に欠ける形状のものが多かった。
【０００３】
また、前記火鉢や石油またはガスを燃料とする暖房器具は、昨今の住宅の密閉性から換気に留意する必要があった。
【０００４】
最近では、現在の暖房器具の機能性と古来の火鉢の情緒を融合させ、換気の心配のない火鉢型ハロゲン電気ストーブが提案されている（特許文献１参照）。
【０００５】
しかし、前記ハロゲン電気ストーブは、熱源であるハロゲンランプユニットからの伝導熱によって熱せられる天板を冷却する内部ファンを備えており、火鉢内にファンを内蔵させるためのスペースが必要であるため、火鉢のコンパクト化が困難であった。
【０００６】
現在の日本の住宅事情を考慮すると、現在の機能的な他の暖房器具と比較して大型である電気火鉢を収納する場所がないことが多く、暖房器具として電気火鉢を使わない期間においては、狭い生活空間を占領する邪魔な存在でしかなかった。
【０００７】
一方、暖房を必要としない期間は、テーブルとして利用できるテーブル状囲炉裏が提案されている（特許文献２参照）。
【０００８】
前記テーブル状囲炉裏は、木製の炉縁と耐火性の火鉢を組み合わせた囲炉裏であり、炉縁の上面内周縁に着脱自在な蓋板を係着したものであり、蓋板を係着した状態では囲炉裏をテーブルとして利用でき、蓋板を外せば囲炉裏として使用できるものである。
【０００９】
しかし、外した蓋板を保管する場所を別に確保する必要があり、長期間にわたって囲炉裏をテーブルとして使用しない場合には、蓋板を紛失する虞もあった。
【００１０】
【特許文献１】実用新案登録第３０３７７６７号公報
【特許文献２】実開平７−３２４０１号
【発明の開示】
【発明が解決しようとする課題】
【００１１】
この発明は、上述の問題を鑑み、暖房使用時には蓋を収納することができ、暖房非使用時には安全にテーブルとして利用できる電気火鉢を提案するものである。
【課題を解決するための手段】
【００１２】
この発明は、本体上部の天板の開口部にヒータユニットを備えた電気火鉢であって、前記開口部を塞ぐ蓋と、前記蓋を収納する収納部とを備えたことを特徴とする。
【００１３】
これにより、蓋の保管場所を別に確保する必要がなくなり、また、蓋を紛失する心配もなくなる。
【００１４】
この発明の態様として、前記本体に、引出し前板を有する引出しを備え、前記収納部を、前記引出し前板の後方の前記本体内部に備えることができる。
【００１５】
これにより、引出し前板で収納部前面を塞ぐことができ、収納部前面を塞ぐ別部材の必要がないため、構造を簡略化、低コスト化ならびに省スペース化を図ることができ、さらに蓋収納時の電気火鉢の外観を損ねることがなく、火鉢形状による情緒を堪能できる。
【００１６】
また、この発明の態様として前記本体部に、前記蓋が前記収納部に収納された場合に、前記ヒータユニットを稼動可能に切替える切替手段を備えることができる。
【００１７】
これにより、開口部を塞いだ状態において、誤操作によってヒータユニットが加熱されることによって蓋板が加熱され、加熱された蓋板に触れて火傷を負うことや、加熱された蓋板による火災の発生を防止することができる。
【００１８】
また、切替手段を本体内部につけることで電気火鉢の外観を損ねることがなく、火鉢形状による情緒を堪能できる。
【００１９】
また、この発明の態様として前記本体部に、前記蓋で前記開口部が塞がれている場合に、前記ヒータユニットを稼動不可能に切替える切替手段を備えることができる。
【００２０】
これにより、開口部を塞いだ状態において、誤操作によってヒータユニットが加熱されることによって蓋板が加熱され、加熱された蓋板に触れて火傷を負うことや、加熱された蓋板による火災の発生を防止することができる。
【発明の効果】
【００２１】
この発明により、暖房使用時には蓋を収納することができ、暖房非使用時には電気火鉢をテーブルとして利用することができる。
【発明を実施するための最良の形態】
【００２２】
この発明の一実施形態を以下図面と共に説明する。  
図１は、電気火鉢１を右側上方より見た斜視図を示し、図２は、テーブルとして使用する際の電気火鉢１を右側上方より見た斜視図を示す。
【００２３】
電気火鉢１は、箱型に形成した本体１０の上部に平面視四角形の枠型の天板２を備えて形成し、ヒータユニット３と、電源装置４とを備えている。
【００２４】
なお、ヒータユニット３は、炉３１とヒータ部３２とで構成している。
【００２５】
天板２の奥行きおよび幅の外寸法は、本体１０より大きく、おおよそ５０ｃｍ四方であり、中央に約３２ｃｍ四方の開口部２２を設け、ヒータユニット３は天板２の開口部２２に係止して設置してあり、蓋板７は炉３１に載置して開口部２２の全部を塞いでいる。なお、一部としてもよい。
【００２６】
なお、蓋板７は、開口部２２の内側寸法と略同一の平面四角形であり、炉３１上に載置して使用するが、炉３１上に載置した状態において、蓋板７の上面と天板２の上面とが面一となる厚さで形成している。
【００２７】
なお、本実施形態においては、本体１０、天板２および蓋板７を木製で形成したが、これに限定されず、ガラス製や樹脂製であっても良い。
【００２８】
また、本体１０の前板５１の中央下部には、引出し前板１３３に引手金具１４を設けた引出し１３を備え、本体１０の両側面５２には、電気火鉢１を運搬する際の握持手段となる引手金具１４を取り付けている。
【００２９】
図３は、テーブル使用時の電気火鉢１のＡ−Ａ断面図（図１）であり、図４は、Ｂ−Ｂ断面図（図１）を示す。
【００３０】
電気火鉢１には、前板５１の下部から引き出すに引出し１３を備え、備えられた状態の引出し１３の下方、かつ引出し前板１３３の正面視外形略範囲内後方に蓋板７を収納する収納部７１を備えている。
【００３１】
なお、木製の仕切板８は本体１０内部を仕切り、引出し１３に収納した物品や収納部７１に収納された蓋板７が加熱されることを防止している。
【００３２】
また、仕切板８の両側板８１の内側にはレール８２を左右に備え、引出し１３の側板１３１の外側に備えた溝部１３２を係合させている。これによって、引出し１３の前後方向（図３中左右方向）のスライドを可能にしている。
【００３３】
また、底板６の中央には、蓋板７の収納によってＯＮ／ＯＦＦが切替えられる切替スイッチ９が備えられ、蓋板７が収納されると、切替スイッチ９はＯＮとなり、電気火鉢１の稼動を許可する。
【００３４】
また、ヒータ部３２は、切替スイッチ９を介して制御部１５と接続され、電源装置４より入力された操作信号によって稼動する。
【００３５】
電源装置４は、電源側コネクタ４１と、コントローラ４２と、コード４３と、本体側コネクタ４４とから構成し、本体側コネクタ４４を背板５３に備えた差し込み口５３１を貫通して本体１０内部に装備された制御部１５に接続し、電源側コネクタ４１を家庭用コンセントに接続している。
【００３６】
なお、コントローラ４２は、電気火鉢１の始動、停止および温度調節を行うための入力装置である。
【００３７】
これにより、電気火鉢１を暖房として稼動させない際はテーブルとして使用することができ、また、暖房として電気火鉢１を稼動させる際に取外した蓋板７を本体１０内部の収納部７１に収納することができる。
図５はＣ部（図３）の拡大図を示す。
【００３８】
ヒータユニット３は、開口部２２（図３）の内側開口縁部２１に設けた段差状の係止部２１１に、炉３１の外周に備えた鍔部３１１を上から載置するように係止して天板２に設置しており、また、蓋板７を鍔部３１１上面に載置することで開口部２２の全部を塞ぐ。
【００３９】
なお、炉３１の炉側面３１２の外周寸法は、内側開口縁部２１の内周寸法より小さく形成し、ブロック３１３を介在させて開口部２２に係止している。
【００４０】
また、ブロック３１３は、断熱材料にて側面視逆Ｌ型で形成し、鍔部３１１と係止部２１１との間に、所定間隔を隔て、炉３１の一辺当たりに２個備えている。  
なお、ブロック３１３の炉３１の一辺当たりの設置個数は２個に限定されない。
【００４１】
図６はＤ部（図３）の拡大図を示す。
【００４２】
底板６の中央には可動部９１を有する切替スイッチ９が備えられ、蓋板７が収納部７１に収納された状態において、蓋板７が可動部９１をｅ方向に押えることによって、切替スイッチ９はＯＮとなり、電気火鉢１の稼動を許可する。
【００４３】
以上の構成により、電気火鉢１を暖房として稼動させない際はテーブルとして使用することができ、また、暖房として電気火鉢１を稼動させる際に取外した蓋板７を本体１０内部の収納部７１に収納することができる。
【００４４】
従って、長期にわたって電気火鉢１を暖房として稼動させる場合においても、蓋板７の保管場所を別に確保する必要がなくなり、さらにまた保管中に蓋板７を紛失する心配がなくなる。
【００４５】
また、収納部７１を引出し前板１３３の正面視外形略範囲内後方（図３中右側）の前記本体内部に備えたことによって、収納部７１の前面を塞ぐ収納部前面蓋を引出し１３の引出し前板１３３で構成することができる。
【００４６】
これによって、収納部７１を塞ぐための別部材を必要とせず、省スペースおよびコスト低下を図ることができる。
【００４７】
また、一旦、蓋板７を収納すると、その後の引出し１３を使用する際においても、収納された蓋板７が支障することはない。
【００４８】
さらにまた、収納部７１は引出し１３で覆われているため、外側から蓋板７が見えることがなく、暖房使用時の電気火鉢１の外観を損ねることがなく、火鉢形状による情緒を堪能できる。
【００４９】
また、蓋板７が収納部７１に収納される事によって、切替スイッチ９はＯＮとなって電気火鉢１の稼動を許容するため、テーブルとして使用している間の誤操作によって電気火鉢１が稼動して蓋板７が加熱されることを防止することができる。
【００５０】
さらにまた、コントローラ４２を加熱位置に設定したまま、誤って収納部７１より蓋板７を取出して載置しても、切替スイッチ９はＯＦＦとなるため、ヒータ部３２には電力が供給されず蓋板７が加熱されることを防止することができる
なお、切替スイッチ９は、収納部７１の背板５３側後部に設置してもよし、蓋板７の上方の仕切板８に下向きに備えても良い。
【００５１】
また、切替スイッチ９を、センサと制御部とで構成し、収納部７１に蓋板７が収納されていることを検出して稼動の可否を切替えても良い。
【００５２】
さらにまた、切替スイッチ９を開口部２２や本体１０に備え、蓋板７が開口部２２から取外されている場合にのみ電気火鉢１の稼動を許容しても良い。
【００５３】
また、収納部７１は引出し１３の上方の位置、または底板６に備えても良い。
【００５４】
さらにまた、図３に示すように引出し１３の内部に電源装置４を収納する収納部を備えても良い。  
これによって、蓋板７と同様に、テーブルとして電気火鉢１を使用する際に、本体１０取外した電源装置４を紛失する心配がなくなる。
【００５５】
また、蓋板７を、天板２の外側寸法と略同一とし、蓋板７を天板２に固定する固定手段を備え、電気火鉢１をテーブルとして使用する際には、蓋板７で天板２の全面を覆ってもよい。  
この場合においては、底板６の下側に収納部７１を備えるとよい。
【００５６】
さらにまた、蓋板７を複数で構成し、引出し１３の側方に収納部７１を備えてもよく、また、引出し１３の上方や下方にも収納部７１を備え、各蓋板７を分散して収納しても良い。
【００５７】
これにより、本体１０内部のデッドスペースを有効利用することができ、電気火鉢１のコンパクト化を図ることができる。
【００５８】
また、引出し１３の代わりに、前板５１側を貫通する箱体を備えてもよい。  
この場合においては、引出し前板１３１の代わりに収納部７１の前面蓋を兼ねる箱体前蓋を前板５１に枢動可能に備えるとよい。
【００５９】
この発明の構成と、上述の実施形態との対応において、
この発明の蓋は、蓋板７に対応し、
以下同様に
切替手段は、切替スイッチ９に対応するも、
この発明は、上述の実施形態の構成のみに限定されるものではなく、多くの実施の形態を得ることができる。
【図面の簡単な説明】
【００６０】
【図１】電気火鉢を右側上方より見た斜視図。
【図２】テーブルとして使用する際の電気火鉢を右側上方より見た斜視図。。
【図３】電気火鉢のＡ−Ａ断面図。
【図４】電気火鉢のＢ−Ｂ断面図。
【図５】電気火鉢のＣ部拡大図。
【図６】電気火鉢のＤ部拡大図。
【符号の説明】
【００６１】
１…電気火鉢
２…天板
３…ヒータユニット
７…蓋板
９…切替スイッチ
１０…本体
１３…引出し
２２…開口部
７１…収納部
１３３…引出し前板
【図１】
2006057976.tif 000003
【図２】
2006057976.tif 000004
【図３】
2006057976.tif 000005
【図４】
2006057976.tif 000006
【図５】
2006057976.tif 000007
【図６】
2006057976.tif 000008